(57)【特許請求の範囲】
【請求項１】
天井側の蓄熱体との間に空間を設けて天井面を形成するように配置された輻射パネル本体の裏面側に配置された伝熱管に、所定の温度に加熱又は冷却した熱媒体を供給する熱源装置を制御するための制御装置であって、
所定の期間に室内に発生した空調負荷を算出する算出手段と、
空調負荷と電力料金削減率の最も高い熱媒体の温度との関係を示す第１の関係情報、及び空調負荷と前記熱源装置の成績係数の最も高い熱媒体の温度との関係を示す第２の関係情報を記憶する記憶手段と、
前記第１の関係情報又は前記第２の関係情報を選択する選択手段と、
前記算出手段が算出した前記空調負荷に対応する前記熱媒体の温度を、前記選択手段によって選択された前記第１の関係情報又は前記第２の関係情報から取得して出力する出力手段と、
を有する制御装置。
【請求項２】
前記出力手段が出力した前記熱媒体の温度の熱媒体を前記伝熱管に供給するように前記熱源装置を制御する、請求項１に記載の制御装置。
【請求項３】
前記算出手段は、昼間に室内に発生した空調負荷を算出し、
前記出力手段は、夜間に伝熱管に供給する熱媒体の温度を出力する、
請求項１又は２に記載の制御装置。
【請求項４】
天井側の蓄熱体との間に空間を設けて天井面を形成するように配置された輻射パネル本体と、
前記輻射パネル本体の裏面側に配置された伝熱管と、
所定の温度に加熱又は冷却した熱媒体を前記伝熱管に供給する熱源装置と、
所定の期間に室内に発生した空調負荷を算出する算出手段と、空調負荷と電力料金削減率の最も高い熱媒体の温度との関係を示す第１の関係情報、及び空調負荷と前記熱源装置の成績係数の最も高い熱媒体の温度との関係を示す第２の関係情報を記憶する記憶手段と、前記第１の関係情報又は前記第２の関係情報を選択する選択手段と、前記算出手段が算出した前記空調負荷に対応する前記熱媒体の温度を、前記選択手段によって選択された前記第１の関係情報又は前記第２の関係情報から取得して出力する出力手段とを有する制御装置と、
を備えた空気調和システム。
【発明の詳細な説明】
【技術分野】
【０００１】
本発明は、輻射空調を行うための制御装置及び空気調和システムに関する。
【背景技術】
【０００２】
近年、運転エネルギーの効率向上の観点から、夜間に躯体に蓄熱しておき、昼間に躯体の蓄熱を利用して、輻射により室内の冷暖房を行う空気調和装置が提案されている（例えば、特許文献１参照。）。
【０００３】
この空気調和装置は、放射板とその裏面に固定された水導通管とを有する放射パネルと、昼間の冷房期間は、所定の温度（例えば、１９℃）の水を水導通管に還流させて冷房を主に行い、夜間の躯体冷却期間は、冷房期間よりも低い温度（例えば、１７℃）の水を水導通管に還流させる制御装置とを備える。
【先行技術文献】
【特許文献】
【０００４】
【特許文献１】特開２００９−１６２３９８号公報
【発明の概要】
【発明が解決しようとする課題】
【０００５】
しかし、従来の空気調和装置は、室内に滞在している人の数や室内に存在する電気製品等の発熱量が日によって変化し、空調負荷が変動しても、冷房期間及び躯体冷却時間のそれぞれの温度設定が一定であるため、蓄熱システムとして最適な運用がなされていない可能性がある。
【０００６】
したがって、本発明の目的は、日々変化する空調負荷に対応した熱媒体の温度設定が可能な制御装置及び空気調和システムを提供することにある。
【課題を解決するための手段】
【０００７】
本発明は、上記目的を達成するため、天井側の蓄熱体との間に空間を設けて天井面を形成するように配置された輻射パネル本体の裏面側に配置された伝熱管に、所定の温度に加熱又は冷却した熱媒体を供給する熱源装置を制御するための制御装置であって、所定の期間に室内に発生した空調負荷を算出する算出手段と、空調負荷と電力料金削減率の最も高い熱媒体の温度との関係を示す第１の関係情報、及び空調負荷と前記熱源装置の成績係数の最も高い熱媒体の温度との関係を示す第２の関係情報を記憶する記憶手段と、前記第１の関係情報又は前記第２の関係情報を選択する選択手段と、前記算出手段が算出した前記空調負荷に対応する前記熱媒体の温度を、前記選択手段によって選択された前記第１の関係情報又は前記第２の関係情報から取得して出力する出力手段と、を有する制御装置を提供する。
【０００８】
本発明は、上記目的を達成するため、天井側の蓄熱体との間に空間を設けて天井面を形成するように配置された輻射パネル本体と、前記輻射パネル本体の裏面側に配置された伝熱管と、所定の温度に加熱又は冷却した熱媒体を前記伝熱管に供給する熱源装置と、所定の期間に室内に発生した空調負荷を算出する算出手段と、空調負荷と電力料金削減率の最も高い熱媒体の温度との関係を示す第１の関係情報、及び空調負荷と前記熱源装置の成績係数の最も高い熱媒体の温度との関係を示す第２の関係情報を記憶する記憶手段と、前記第１の関係情報又は前記第２の関係情報を選択する選択手段と、前記算出手段が算出した前記空調負荷に対応する前記熱媒体の温度を、前記選択手段によって選択された前記第１の関係情報又は前記第２の関係情報から取得して出力する出力手段とを有する制御装置と、を備えた空気調和システムを提供する。
【発明の効果】
【０００９】
本発明によれば、日々変化する空調負荷に対応した熱媒体の温度設定が可能になる。
【図面の簡単な説明】
【００１０】
【図１】図１は、本発明の実施の形態に係る空気調和システムの概略の構成例を示す図である。
【図２】図２は、図１のＡ部に関する解析モデルを示す図である。
【図３】図３は、蓄放熱サイクルによる温度変化を示すグラフである。
【図４】図４は、蓄放熱サイクルを繰り返して周期定常となったある日の空調時間帯の温度変化を示すグラフである。
【図５】図５は、蓄放熱サイクルを繰り返して周期定常となったある日の空調時間帯の熱流束の変化を示すグラフである。
【図６】図６は、水温と熱量夜間移行率との関係を示すグラフである。
【図７】図７は、冷房運転モードにおける水温と電力料金削減率との関係を示すグラフである。
【図８】図８は、冷房運転モードにおける熱媒体の温度とシステムＣＯＰとの関係の一例を示す図である。
【図９】図９は、電気料金削減率が最大となる熱媒体の温度と空量負荷との関係を示す第１の制御情報の一例である。
【図１０】図１０は、システムＣＯＰが最大となる熱媒体の温度と空量負荷との関係を示す第２の制御情報の一例である。
【発明を実施するための形態】
【００１１】
以下、本発明の実施の形態について図面を参照して説明する。なお、各図中、実質的に同一の機能を有する構成要素については、同一の符号を付してその重複した説明を省略する。
【００１２】
［実施の形態］
図１は、本発明の実施の形態に係る空気調和システムの概略の構成例を示す図である。このシステムは、天井に敷設された輻射パネルと天井側のスラブとの組み合わせによる躯体蓄熱式輻射空調システムである。
【００１３】
この空気調和システム１は、建築物１００の室内１１０の天井側に敷設された輻射パネル２と、熱源装置としての熱源機３と、熱源機３を制御する制御装置４とを備える。
【００１４】
建築物１００は、例えば、オフィスビル等であり、主としてコンクリートで形成された蓄熱体としての壁部１２０と、主としてコンクリートで形成され、各階を仕切る蓄熱体としてのスラブ１３０とを備える。なお、建築物１００は、オフィスビルに限らず、戸建て住宅、集合住宅、工場、病院、公共施設、高層建築物等でもよい。
【００１５】
（輻射パネル２の構成）
輻射パネル２は、輻射パネル本体としてのパネル本体２０と、パネル本体２０の裏面２０ａに設けられた伝熱保持部材２１と、伝熱保持部材２１に保持され、熱媒体（例えば、水）を流通させる伝熱管２２とを備える。なお、伝熱管２２は、伝熱保持部材２１以外の方法でパネル本体２０に保持されていてもよい。また、輻射パネル２は、複数の矩形状のパネル本体２０と、各パネル本体２０の伝熱保持部材２１に保持された伝熱管２２によって構成されていてもよい。
【００１６】
パネル本体２０及び伝熱保持部材２１は、熱伝導率の高い材料、例えばアルミニウム、アルミニウム合金、銅、鋼板等の金属から形成されている。
【００１７】
伝熱管２２は、例えば、ポリウレタン等の樹脂を主たる構成材料として形成されたものや、銅等の金属から形成されたものを用いることができる。
【００１８】
（熱源機３の構成）
熱源機３は、例えば、圧縮機、凝縮器、蒸発器等を備え、四方弁を用いて冷媒の流れを逆転させることで、冷房運転モードと暖房運転モードとを切り替えられるように構成されている。
【００１９】
また、熱源機３には、室内１１０の温度（室温）を検出する温度センサ５が接続されている。熱源機３は、空調時間帯（例えば、8：00〜18：00）では、温度センサ５によって検出された室温が制御装置４によって設定された温度（設定温度）付近を維持するように、供給ライン３１を介して伝熱管２２に供給する熱媒体の温度を制御（フィードバック制御）するように構成されている。すなわち、このフィードバック制御では、熱媒体の流量を一定とし、熱媒体の温度を制御する。なお、熱源機３は。空調時間帯の初期においては冷房運転モード又は暖房運転モードに応じて予め定められた温度の熱媒体を供給ライン３１を介して伝熱管２２に供給する。
【００２０】
また、熱源機３は、蓄熱時間帯（例えば、22：00〜8：00）では制御装置４によって設定された温度に熱媒体を冷却（冷房運転モード時）又は加熱（暖房運転モード時）して供給ライン３１を介して伝熱管２２に供給する。輻射パネル２に供給された熱媒体は、伝熱管２２を通り、戻りライン３２を介して熱源機３に戻る。
【００２１】
（制御装置４の構成）
制御装置４は、熱源機３を制御する制御部４０と、各種の情報を記憶する記憶部４１と、各種の情報の入力と表示を行う操作表示部４２とを備える。
【００２２】
制御部４０は、ＣＰＵ（Central Processing Unit）等を有し、記憶部４１に記憶されたプログラム４１０を実行することにより、算出手段の一例としての空調負荷算出部４００、水温設定部４０１、室温設定部４０２等として機能する。
【００２３】
記憶部４１は、ＲＯＭ（Read Only Memory）、ＲＡＭ（Random Access Memory）、ＨＤＤ（Hard Disk Drive）等から構成され、プログラム４１０、第１の制御情報４１１ａ、第２の制御情報４１１ｂ等を記憶する。
【００２４】
第１の制御情報４１１ａは、電力料金の低減が図れる省コストモードのための後述する図９に対応する情報である。第２の制御情報４１１ｂは、２４時間の蓄放熱サイクルの成績係数（システムＣＯＰ）の最大化が図れる省エネルギーモードのための後述する図１０に対応する情報である。ここで、「成績係数」とは、消費電力１ｋＷ当たりの冷房能力（ｋＷ）又は暖房能力（ｋＷ）を表したものである。第１及び第２の制御情報４１１ａ、４１１ｂは、空調負荷と熱媒体の温度との関係を示す関係情報の一例である。
【００２５】
操作表示部４２は、例えば、タッチパネルディスプレイであり、液晶ディスプレイ等のディスプレイの前面にタッチパネルを重合配置した構成を有する。操作表示部４２は、空調時間帯用の運転モード選択画面で冷房運転モード又は暖房運転モードを選択し、選択した冷房運転モード又は暖房運転モードでの目標となる室温を選択できるように構成されている。また、操作表示部４２は、蓄熱時間帯用の運転モード選択画面で省コストモード又は省エネルギーモードを選択できるように構成されている。
【００２６】
空調負荷算出部４００は、例えば、昼間の空調時間帯（例えば、8：00〜18：00）における昼間の空調負荷を次の式により算出する。なお、昼間は所定の期間の一例である。
昼間の空調負荷＝昼間の空調負荷の積算値／（昼間の空調時間×室内の床面積）
・・・式（１）
ここで、昼間の空調負荷の積算値＝熱媒体の比熱・密度・流量・（熱源機３の入口及び出口の温度差）・時間から求められる。なお、式（１）を用いて所定の期間（例えば３日間）連続して昼間の空調負荷の積算値を求め、この積算値から一日の昼間の空調負荷を算出し、その一日の空調負荷を毎日更新してもよい。
【００２７】
水温設定部４０１は、ユーザが操作表示部４２を操作して選択された省コストモードに対応する第１の制御情報４１１ａ又は省エネルギーモードに対応する第２の制御情報４１１ｂから、空調負荷算出部４００が算出した空調負荷に対応する熱媒体の温度を取得し、その温度を蓄熱時間帯の温度として熱源機３に対して設定する。
【００２８】
室温設定部４０２は、操作表示部４２を操作して選択された運転モードと目標となる室温を熱源機３に対して設定する。
【００２９】
第１又は第２の制御情報４１１ａ、４１１ｂに基づいて熱媒体の温度を設定することにより、昼間（例えば、8：00〜18：00）に伝熱管２２に供給する熱媒体の温度を第１の温度とし、夜間（例えば、22：00〜8：00）に伝熱管２２に供給する熱媒体の温度を第２の温度とするとき、水温設定部４０１は、冷房運転モードでは、第２の温度は第１の温度（例えば、１７℃）よりも低い温度（例えば、１５℃）に設定し、暖房運転モードでは、第２の温度は第１の温度（例えば、２３℃）よりも高い温度（例えば、２５℃）に設定することになる。
【００３０】
（蓄放熱サイクル）
図２は、図１のＡ部に関する解析モデルを示す図である。この解析モデルの空調負荷としては、スキンロード（建物の外部から侵入する熱負荷）がないインテリアゾーン（室内空間）を想定して、一定の冷却負荷が発生しているものとする。また、天井側のスラブ１３０の厚さは、１５０ｍｍとし、スラブ１３０上面は完全に断熱されているものとする。本明細書において「空調負荷」とは、室内１１０に滞在する人Ｐや電気製品１１１等から単位床面積当たりに発生する熱負荷のことである。
【００３１】
空調負荷ｑｄは、室内１１０において対流熱伝達によって輻射パネル２の下面（パネル本体２０の表面２０ｂ）に流入するｑｃｐと、輻射熱伝達によって輻射パネル２の下面（表面２０ｂ）に流入するｑｒｐとに分かれる。輻射パネル２の上面（パネル本体２０の裏面２０ａ）に達したこれらの熱流束ｑｃｐ、ｑｒｐは、対流熱伝達によって天井側のスラブ１３０の下面１３０ａに流入するｑｃｓと、輻射熱伝達によって天井側のスラブ１３０の下面１３０ａに流入するｑｒｓと、輻射パネル２の内部に到達して伝熱管２２内を流れる熱媒体により外部へ排出されるｑｗとに分かれる。スラブ１３０の内部には、スラブ１３０の下面１３０ａから流入したｑｃｓ、ｑｒｓが蓄熱される。
【００３２】
ここで、輻射パネル表面温度Ｔｐに関する熱平衡式は、次のようになる。
ｑｃｐ＋ｑｒｐ＝ｑｗ＋ｑｒｓ＋ｑｃｓ          ・・・式（２）
また、室温Ｔｒに関する熱平衡式は、次のようになる。
ｑｃｐ＋ｑｒｐ＝ｑｄ                      ・・・式（３）
【００３３】
図３は、蓄放熱サイクルによる温度変化を示すグラフである。図４は、蓄放熱サイクルを繰り返して周期定常となったある日の空調時間帯（8:00-18:00）の温度変化を示すグラフである。図５は、蓄放熱サイクルを繰り返して周期定常となったある日の空調時間帯（8:00-18:00）の熱流束の変化を示すグラフである。図３中、Ｔｒは室温、Ｔｏは、スラブ１３０の下面１３０ａの温度（スラブ下面温度）、Ｔｐは輻射パネル２の表面（パネル本体の表面２０ｂ）の温度（輻射パネル表面温度）、Ｔｗは熱媒体の温度（水温）である。
【００３４】
図３、図４、図５は、
（ｉ）蓄放熱サイクルは、２２：００−８：００を蓄熱時間帯、８：００−１８：００を空調時間帯、１８：００−２２：００を空調停止時間帯とする。
（ii）蓄熱時間帯は、水温Ｔｗ（蓄熱時の冷温水温度）を一定とし、空調時間帯は室温Ｔｒが２７℃で一定となるように水温のフィードバック制御を行う。
(iii)空調時間帯は、一定の室内負荷（空調負荷）が発生し、蓄熱時間帯は室内負荷は発生しないものとする。
という条件の下で、空調負荷ｑｄ＝５０Ｗ／ｍ２、蓄熱時の水温Ｔｗ＝１２℃に設定した場合のものである。
【００３５】
図３から、空気調和システム１の運転を開始してから４日目（７２時間経過後）から昼間の水温Ｔｗが安定していることが分かる。すなわち、空気調和システム１の運転を開始してから４日目には、周期定常となったといえる。後述する図４〜図１０は、周期定常状態におけるものである。なお、図４〜図１０は、図２に示す解析モデルにおける計算結果を示したものであり、実際の建物の構造（性能）や空調機３の性能、空調機３の運用等によっては実際は異なる結果となる。
【００３６】
図４、図５において、空調開始時はスラブ下面温度Ｔ０が十分に低く、スラブ１３０からの熱流束ｑｃｓ、ｑｒｓが大きいが、スラブ１３０が冷熱を放熱しながら徐々に温度上昇すると、スラブ１３０からの熱流束は低下し、それを補うために熱源機３は、水温Ｔｗを低下して熱流束ｑｗを増加させて空調負荷を処理する。
【００３７】
このような空気調和システム１の性能を評価する指標として、熱量夜間移行率、電力料金削減率、システムＣＯＰを以下のように定義する。
【００３８】
熱量夜間移行率ηｓｆは、空調負荷の処理に用いた熱量のうちどれだけが夜間に使用した電力に由来するものかを表す効率であり、それを次式に示す。
ηｓｆ＝Ｑｒｌ／Ｑｄ            ・・・式（４）
ただし、
Ｑｒｌ：空調時間帯にスラブ１３０から放熱した熱流束ｑｃｓ、ｑｒｓの積算値
Ｑｄ：空調時間帯に発生した空調負荷ｑｄの積算値
【００３９】
電力料金削減率は、ある空調負荷を処理するのに非蓄熱システムが要する電力料金に対し、蓄熱システムを導入することでどれだけの電力料金削減効果があったかを次式で表す。
電力料金削減率＝（非蓄熱システムの電力料金−蓄積システムの電力料金）／非蓄熱システムの電力料金              ・・・式（５）
【００４０】
システムＣＯＰ（Coefficient Of Performance）（ＣＯＰｓ）は、空調負荷を処理するために、昼夜間で熱源機３が投入した熱量と消費電力の比であり、それを次式に示す。
【００４１】
【数１】
0006330177.tif 000002
【００４２】
図６は、蓄熱時の冷温水温度と熱量夜間移行率との関係を示すグラフである。図７は、蓄熱時の冷温水温度と電力料金削減率との関係を示すグラフである。例えば、空調負荷が５０Ｗ／ｍ２のとき、蓄熱時間帯も空調時間帯も冷温水温度１９℃で空気調和システム１を運転した場合、熱量夜間移行率は、図６に示すように１４％であり、電力料金削減率は、図７に示すように９％であった。
【００４３】
しかし、図７に示すように、空調負荷が５０Ｗ／ｍ２のときの電気料金削減率は、蓄熱時の冷温水温度が１１℃のときに最大になり、この時の電気料金削減率は、２１％であり、熱量夜間移行率は、図６に示すように、４６％である。そこで本実施の形態では、蓄熱時の冷温水温度を空調時の冷温水温度よりも低い１１℃とする。
【００４４】
図７は、冷房運転モードにおける蓄熱時の冷温水温度と電力料金削減率との関係の一例を示す図である。同図は、夜間の電力料金が昼間の電力料金よりも安価なある料金体系になっている場合を示す。図７から、各空調負荷３０Ｗ／ｍ２、５０Ｗ／ｍ２、７０Ｗ／ｍ２、９０Ｗ／ｍ２において、電力料金削減率が最大となる蓄熱時の冷温水温度が存在することが分かる。例えば、空調負荷が５０Ｗ／ｍ２のときの電気料金削減率は、前述したように蓄熱時の冷温水温度が１１℃のときに最大になっている。
【００４５】
図８は、冷房運転モードにおける蓄熱時の冷温水温度とシステムＣＯＰとの関係の一例を示す図である。図８から、各空調負荷３０Ｗ／ｍ２、５０Ｗ／ｍ２、７０Ｗ／ｍ２、９０Ｗ／ｍ２において、システムＣＯＰが最大となる蓄熱時の冷温水温度が存在することが分かる。例えば、空調負荷が５０Ｗ／ｍ２のときのシステムＣＯＰは、蓄熱時の冷温水温度が１７℃のときに最大の６．０になっている。
【００４６】
電力料金削減率とシステムＣＯＰは、必ずしも両立できるものではない。例えば、空調負荷が５０Ｗ／ｍ２のときに蓄熱時の冷温水温度を１１℃とすれば、電気料金削減率が最大となるが、システムＣＯＰは最大の６．０から５．０に低下してしまう。一方、空調負荷が５０Ｗ／ｍ２のときに蓄熱時の冷温水温度を１７℃とすれば、システムＣＯＰが最大となるが、電力料金削減率は最大の２２％から１５％に低下してしまう。
【００４７】
図９は、電気料金削減率が最大となる蓄熱時の冷温水温度と空量負荷との関係を示す第１の制御情報４１１ａの一例である。図９中、破線は図７に基づく冷房運転モード時のものである。図９中、実線で示す暖房運転モード時も図７と同様に蓄熱時の冷温水温度と電力料金削減率との関係を示すグラフのピーク値から同様に求めることができる。図１０は、システムＣＯＰが最大となる蓄熱時の冷温水温度と空量負荷との関係を示す第２の制御情報４１１ｂの一例である。図１０中、破線は図８に基づく冷房運転モード時のものである。図１０中、実線で示す暖房運転モード時も図８と同様に蓄熱時の冷温水温度とシステムＣＯＰとの関係を示すグラフのピーク値から同様に求めることができる。
【００４８】
（空気調和システムの動作）
次に、空気調和システム１の動作の一例を説明する。
【００４９】
（１）冷房運転モードの昼間
ユーザは、操作表示部４２に表示された空調時間帯用の運転モード選択画面で冷房運転モードを選択し、室温の目標となる温度を選択すると、室温設定部４０２は、熱源機３に対して冷房運転モードと目標の室温（設定温度）を設定する。また、ユーザは、操作表示部４２に表示された蓄熱時間帯用の運転モード選択画面で省コストモードを選択したとする。
【００５０】
熱源機３は、昼間の空調時間帯（例えば、8：00〜18：00）の初期では、冷房運転モードに対応して予め定められた温度（例えば、１９℃）に冷却した熱媒体を供給ライン３１を介して伝熱管２２に供給する。その後の空調時間帯（例えば、8：00〜18：00）では、熱源機３は、温度センサ５によって検出された室温が制御装置４によって設定された温度（設定温度）付近を維持するように、熱媒体を冷却して供給ライン３１を介して伝熱管２２に供給する。
【００５１】
伝熱管２２に供給された熱媒体が伝熱管２２を通過する間にパネル本体２０との熱交換が行われ、パネル本体２の表面２０ｂが輻射面となって輻射空調が行われる。
【００５２】
（２）冷房運転モードの夜間
昼間の空調時間帯が過ぎて空調停止時間帯（例えば、18：00〜22：00）になると、空調負荷算出部４００は、昼間の空調時間帯（例えば、8：00〜18：00）における熱源機３の使用電力量等からその日の昼間の空調負荷を算出する。
【００５３】
水温設定部４０１は、ユーザが操作表示部４２を操作して省コストモードが選択されているので、省コストモードに対応する第１の制御情報４１１ａから、空調負荷算出部４００が算出した空調負荷に対応する蓄熱時の冷温水温度（例えば、１７℃）を取得し、その温度を熱源機３に対して設定する。
【００５４】
夜間の蓄熱時間帯（例えば、22：00〜8：00）になると、熱源機３は、水温設定部４０１によって設定された蓄熱時の冷温水温度（例えば、１７℃）に冷却した水を供給ライン３１を介して伝熱管２２に供給する。
【００５５】
なお、水温設定部４０１は、ユーザが操作表示部４２を操作して省エネモードが選択されている場合には、省エネモードに対応する第２の制御情報４１１ｂから、空調負荷算出部４００が算出した空調負荷に対応する蓄熱時の冷温水温度（例えば、１７℃）を取得し、その温度を熱源機３に対して設定する。
【００５６】
（３）暖房運転モードの昼間
ユーザは、操作表示部４２に表示された空調時間帯用の運転モード選択画面で暖房運転モードを選択し、室温の目標となる温度を選択すると、温度設定部４０２は、熱源機３に対して暖房運転モードと目標の室温（設定温度）を設定する。また、ユーザは、操作表示部４２に表示された蓄熱時間帯用の運転モード選択画面で省コストモードを選択したとする。
【００５７】
熱源機３は、昼間の空調時間帯（例えば、8：00〜18：00）の初期では、暖房運転モードに対応して予め定められた温度（例えば、２２℃）に加熱した熱媒体を供給ライン３１を介して伝熱管２２に供給する。その後の空調時間帯（例えば、8：00〜18：00）では、熱源機３は、温度センサ５によって検出された室温が制御装置４によって設定された温度（設定温度）付近を維持するように、熱媒体を加熱して供給ライン３１を介して伝熱管２２に供給する。
【００５８】
伝熱管２２に供給された熱媒体が伝熱管２２を通過する間にパネル本体２０との熱交換が行われ、パネル本体２の表面２０ｂが輻射面となって輻射空調が行われる。
【００５９】
（４）暖房運転モードの夜間
昼間の空調時間帯が過ぎて空調停止時間帯（例えば、18：00〜22：00）になると、空調負荷算出部４００は、昼間の空調時間帯（例えば、8：00〜18：00）における空調負荷を算出する。
【００６０】
水温設定部４０１は、ユーザが操作表示部４２を操作して省コストモードが選択されているので、省コストモードに対応する第１の制御情報４１１ａから、空調負荷算出部４００が算出した空調負荷に対応する蓄熱時の冷温水温度（例えば、２４℃）を取得し、その温度を熱源機３に対して設定する。
【００６１】
夜間の蓄熱時間帯（例えば、22：00〜8：00）になると、熱源機３は、水温設定部４０１によって設定された蓄熱時の冷温水温度（例えば、２４℃）に加熱した熱媒体を供給ライン３１を介して伝熱管２２に供給する。
【００６２】
なお、水温設定部４０１は、ユーザが操作表示部４２を操作して省エネモードが選択されている場合には、省エネモードに対応する第２の制御情報４１１ｂから、空調負荷算出部４００が算出した空調負荷に対応する蓄熱時の冷温水温度（例えば、２４℃）を取得し、その温度を熱源機３に対して設定する。
【００６３】
（本実施の形態の効果）
本実施の形態によれば、以下の効果を奏する。
（１）天井側のスラブ１３０との間に空間を設けて天井に輻射パネル２を敷設した場合、輻射パネル２の運転中は、室内に対する輻射だけでなく、パネル本体２０及び伝熱管２２から天井側のスラブ１３０に対しても輻射が行われるので、夜間に天井側のスラブ１３０に蓄熱しておき、昼間にスラブ１３０の蓄熱を室内の輻射空調に利用することができる。
（２）その日の昼間の空調負荷に応じて夜間の水温を設定しているので、日々変化する空調負荷に対応した蓄熱時間帯の温度設定が可能になる。
（３）ユーザの選択により省コストモード又は省エネモードでシステム１を運転することができる。
【００６４】
［他の実施の形態］
なお、本発明の実施の形態は、上記実施の形態に限定されるものではなく、本発明の要旨を変更しない範囲内で種々に変形実施が可能である。例えば、上記実施の形態では、夜間に伝熱管２２に供給する熱媒体の温度を制御装置４が熱源機３に対して設定したが、設定すべき熱媒体の温度を制御装置４が操作表示部４２に表示し、操作者が操作表示部４２に表示された設定すべき熱媒体の温度に基づいて、熱源機３に対して設定してもよい。
【００６５】
また、上記実施の形態では、省コストモードと省エネモードを選択できるようにしたが、一方のみを実施するものとしてもよい。
【００６６】
また、輻射パネル２と天井側のスラブ１３０との空間をと室内１１０に連通する空気の循環流通路を備え、空調時間帯に空間を流通する空気よってスラブ１３０からの放熱を室内１１０に搬送するようにしてもよい。これにより、スラブ１３０の蓄熱をより一層利用することができる。
【００６７】
さらに、輻射パネル２と天井側のスラブ１３０との空間内に送風機を設置し、空調時間帯に空間内の空気を室内１１０に送風するようにしてもよい。これにより、スラブ１３０の蓄熱をより一層利用することができる。
【００６８】
上記実施の形態では、伝熱管に熱媒体（水）を供給して輻射パネルの表面の温度を制御したが、本発明は、空気による熱媒体を輻射パネルに吹き付けて輻射パネルの表面の温度を制御する場合にも適用可能である。
【符号の説明】
【００６９】
１…空気調和システム、２…輻射パネル、３…熱源機、４…制御装置、
５…温度センサ、２０…パネル本体、２０ａ…裏面、２０ｂ…表面、
２１…伝熱保持部材、２２…伝熱管、３１…供給ライン、３２…戻りライン、
４０…制御部、４１…記憶部、４２…操作表示部、１００…建築物、１１０…室内、
１１１…電気製品、１２０…壁部、１３０…スラブ、１３０ａ…下面、
４００…空調負荷算出部、４０１…水温設定部、４０２…室温設定部、
４１０…プログラム、４１１ａ…第１の制御情報、４１１ｂ…第２の制御情報
【図１】
0006330177.tif 000003
【図２】
0006330177.tif 000004
【図３】
0006330177.tif 000005
【図４】
0006330177.tif 000006
【図５】
0006330177.tif 000007
【図６】
0006330177.tif 000008
【図７】
0006330177.tif 000009
【図８】
0006330177.tif 000010
【図９】
0006330177.tif 000011
【図１０】
0006330177.tif 000012